(57)【要約】  大きな沿面絶縁距離を有する電気回路が提供される。一部の実施形態において、電気回路は、従来の電気回路に比べ多くの倍数だけ沿面絶縁距離を増加させることができる。一実施形態において、電気回路は、フローティング回路に光学的に結合された接地回路と、フローティング回路に光学的に結合された絶縁回路とを備える。例えば、回路は、光遮断器に光学的に結合することができる。絶縁回路は、従来の回路の少なくとも２倍の大きさの沿面絶縁距離を有することができる。一部の実施形態において、「ｎ」の数のフローティング回路が、接地回路と絶縁回路との間で光学的に結合されて、総沿面絶縁距離を「ｎ」倍だけ増加させることができる。いくつかの使用の方法についても説明される。【選択図】図２
2015524995.tif 000002
【特許請求の範囲】
【請求項１】
接地回路と
前記接地回路に光学的に結合されたフローティング回路であって、第１の沿面絶縁距離によって前記接地回路から電気的に絶縁されるフローティング回路と、
前記フローティング回路に光学的に結合された絶縁回路であって、第２の沿面絶縁距離によって前記フローティング回路から電気的に絶縁され、前記第１および第２の沿面絶縁距離の組合せに等しい総沿面絶縁距離によって前記接地回路から電気的に絶縁される絶縁回路と、を備える電気回路。
【請求項２】
請求項１に記載の電気回路において、前記総沿面絶縁距離が、前記第１の沿面絶縁距離の少なくとも２倍の大きさである電気回路。
【請求項３】
請求項１に記載の電気回路において、信号入力を前記接地回路から前記フローティング回路に光学的に結合するように構成された第１の光遮断器をさらに備える電気回路。
【請求項４】
請求項３に記載の電気回路において、前記信号入力を前記フローティング回路から前記絶縁回路に光学的に結合するように構成された第２の光遮断器をさらに備える電気回路。
【請求項５】
請求項３に記載の電気回路において、前記第１の光遮断器が、前記接地回路上に配設されたダイオードと前記フローティング回路上に配設されたトランジスタとを備える電気回路。
【請求項６】
請求項４に記載の電気回路において、前記第２の光遮断器が、前記フローティング回路上に配設されたダイオードと前記絶縁回路上に配設されたトランジスタとを備える電気回路。
【請求項７】
請求項１に記載の電気回路において、信号入力を前記絶縁回路から前記フローティング回路に光学的に結合するように構成された第１の光遮断器をさらに備える電気回路。
【請求項８】
請求項７に記載の電気回路において、前記信号入力を前記フローティング回路から前記接地回路に光学的に結合するように構成された第２の光遮断器をさらに備える電気回路。
【請求項９】
請求項７に記載の電気回路において、前記第１の光遮断器が、前記絶縁回路上に配設されたダイオードと前記フローティング回路上に配設されたトランジスタとを備える電気回路。
【請求項１０】
請求項８に記載の電気回路において、前記第２の光遮断器が、前記フローティング回路上に配設されたダイオードと前記接地回路上に配設されたトランジスタとを備える電気回路。
【請求項１１】
請求項１に記載の電気回路において、前記第１の沿面絶縁距離が、約７ｍｍである電気回路。
【請求項１２】
請求項１に記載の電気回路において、前記第２の沿面絶縁距離が、約７ｍｍであり、前記総沿面距離が、約１４ｍｍである電気回路。
【請求項１３】
請求項１に記載の電気回路において、前記接地回路、フローティング回路、および二重絶縁回路が、プリント回路板上に配設される電気回路。
【請求項１４】
接地回路と
前記接地回路に光学的に結合された第１のフローティング回路であって、第１の沿面絶縁距離によって前記接地回路から電気的に絶縁される第１のフローティング回路と、
前記第１のフローティング回路に光学的に結合された第２のフローティング回路であって、第２の沿面絶縁距離によって前記第１のフローティング回路から電気的に絶縁される第２のフローティング回路と、
前記第２のフローティング回路に光学的に結合された三重絶縁回路であって、第３の沿面絶縁距離によって前記第２のフローティング接地回路から電気的に絶縁され、前記第１、第２、および第３の沿面絶縁距離の組合せに等しい総沿面絶縁距離によって前記接地回路から絶縁される三重絶縁回路と、を備える電気回路。
【請求項１５】
請求項１４に記載の電気回路において、前記総沿面絶縁距離が、前記第１の沿面絶縁距離の少なくとも３倍の大きさである電気回路。
【請求項１６】
請求項１４に記載の電気回路において、信号入力を前記接地回路から前記第１のフローティング回路に光学的に結合するように構成された第１の光遮断器をさらに備える電気回路。
【請求項１７】
請求項１６に記載の電気回路において、前記信号入力を前記第１のフローティング回路から前記第２のフローティング回路に光学的に結合するように構成された第２の光遮断器をさらに備える電気回路。
【請求項１８】
請求項１７に記載の電気回路において、前記信号入力を前記第２のフローティング回路から前記三重絶縁回路に光学的に結合するように構成された第３の光遮断器をさらに備える電気回路。
【請求項１９】
請求項１６に記載の電気回路において、前記第１の光遮断器が、前記接地回路上に配設されたダイオードと前記第１のフローティング回路上に配設されたトランジスタとを備える電気回路。
【請求項２０】
請求項１７に記載の電気回路において、前記第２の光遮断器が、前記第１のフローティング回路上に配設されたダイオードと前記第２のフローティング回路上に配設されたトランジスタとを備える電気回路。
【請求項２１】
請求項１８に記載の電気回路において、前記第３の光遮断器が、前記第２のフローティング回路上に配設されたダイオードと前記三重絶縁回路上に配設されたトランジスタとを備える電気回路。
【請求項２２】
電気回路における沿面絶縁距離を増加させる方法であって、
接地回路をフローティング回路に光学的に結合して、第１の沿面絶縁距離によって前記フローティング回路を前記接地回路から電気的に絶縁するステップと、
絶縁回路を前記フローティング回路に光学的に結合して、第２の沿面絶縁距離によって前記絶縁回路を前記フローティング回路から電気的に絶縁し、前記第１および第２の沿面絶縁距離の組合せに等しい総沿面絶縁距離によって前記絶縁回路を前記接地回路から電気的に絶縁するステップと、を含む方法。
【請求項２３】
請求項２２に記載の方法において、光学的に結合するステップが、光遮断器に光学的に結合するステップを含む方法。
【請求項２４】
請求項２２に記載の方法において、前記総沿面絶縁距離が、約１４ｍｍである方法。
【発明の詳細な説明】
【技術分野】
【０００１】
参照による組み込み
[0001]本明細書に記載されたすべての刊行物および特許出願は、各個々の刊行物または特許出願が参照により組み込まれるように具体的におよび個々に指示された場合と同じ程度に参照により本明細書に組み込まれる。
【０００２】
[0002]本開示は、一般に医療デバイスに電力供給するステップに関する。より詳しくは、本開示は、高電圧医療デバイスに必要とされる十分な沿面絶縁距離を得るステップに関する。
【背景技術】
【０００３】
[0003]電気構成部品を有する医療デバイスは、一般に、管理機関によって課された様々な電気的安全基準を満たさなければならない（例えば、米国では、医用電気機器は、国際電気標準会議によって刊行された一般基準ＩＥＣ６０６０１−１を満たさなければならない）。電気デバイスにおける主要な関心事の１つは、電気絶縁である。高電圧が患者にごく近接して使用される用途では、使用される電圧が増加するにつれて必要とする沿面距離および空間距離も増加させなければならないので、適正レベルの電気絶縁を達成するのは、非常に困難なことがある。
【０００４】
[0004]一般に、絶縁障壁を越えて信号を伝達するのに光遮断器が使用され、絶縁障壁を越えて電力を伝達するのにＤＣ／ＤＣ変換器または変圧器が使用される。現在販売されている光遮断器は、最大で約７ｍｍまでの沿面絶縁を得ることができる。しかし、超高電圧デバイスにおいて、このような光遮断器は、ＩＥＣ６０６０１−１によって必要とされる沿面絶縁を達成することができない。
【０００５】
[0005]図１は、真の接地回路１０２と単一の絶縁回路１０４とを含む電気回路システム１００を示す。図１において、２つの回路１０２および１０４は、沿面絶縁距離Ｄによって分離される。電力は、例えば、絶縁されたＤＣ／ＤＣ変換器を用いて２つの回路間で伝送することができ、入力／出力信号は、光遮断器１０８および１１０を用いて回路間で伝送することができる。当分野で周知のように、光遮断器は、光波を介して（例えば、発光ダイオード（ＬＥＤ）から）光検出器（フォトトランジスタやフォトレジスタなど）に電気信号を伝達するように構成された電子デバイスである。図１に示す例示的概略図において、従来の光遮断器は、典型的には、最大でおよそ７ｍｍまでの沿面絶縁距離Ｄを提供することができる。
【発明の概要】
【発明が解決しようとする課題】
【０００６】
[0006]したがって、高電圧医療デバイスには、少なくとも１２ｍｍ〜１４ｍｍの沿面絶縁を得るための方法およびシステムが必要とされる。
【課題を解決するための手段】
【０００７】
[0007]一実施形態において、接地回路と、接地回路に光学的に結合されたフローティング回路であって、第１の沿面絶縁距離によって接地回路から電気的に絶縁されるフローティング回路と、フローティング回路に光学的に結合された絶縁回路であって、第２の沿面絶縁距離によってフローティング回路から電気的に絶縁され、第１および第２の沿面絶縁距離の組合せに等しい総沿面絶縁距離によって接地回路から電気的に絶縁される絶縁回路と、を備える電気回路が提供される。
【０００８】
[0008]一部の実施形態において、総沿面絶縁距離は、第１の沿面絶縁距離の少なくとも２倍の大きさである。
[0009]他の諸実施形態において、回路は、信号入力を接地回路からフローティング回路に光学的に結合するように構成された第１の光遮断器をさらに備える。別の実施形態において、回路は、信号入力をフローティング回路から絶縁回路に光学的に結合するように構成された第２の光遮断器をさらに備える。
【０００９】
[00010]一実施形態において、第１の光遮断器は、接地回路上に配設されたダイオードとフローティング回路上に配設されたトランジスタとを備える。別の実施形態において、第２の光遮断器は、フローティング回路上に配設されたダイオードと絶縁回路上に配設されたトランジスタとを備える。
【００１０】
[00011]一部の諸実施形態において、回路は、信号入力を絶縁回路からフローティング回路に光学的に結合するように構成された第１の光遮断器をさらに備える。一実施形態において、回路は、信号入力をフローティング回路から接地回路に光学的に結合するように構成された第２の光遮断器をさらに備える。
【００１１】
[00012]一実施形態において、第１の光遮断器は、絶縁回路上に配設されたダイオードとフローティング回路上に配設されたトランジスタとを備える。別の実施形態において、第２の光遮断器は、フローティング回路上に配設されたダイオードと接地回路上に配設されたトランジスタとを備える。
【００１２】
[00013]一部の実施形態において、第１の沿面絶縁距離は、約７ｍｍである。別の実施形態において、第２の沿面絶縁距離は約７ｍｍであり、総沿面絶縁距離は、約１４ｍｍである。
【００１３】
[00014]一実施形態において、接地回路、フローティング回路、および二重絶縁回路は、プリント回路板上に配設される。
[00015]接地回路と、接地回路に光学的に結合された第１のフローティング回路であって、第１の沿面絶縁距離によって接地回路から電気的に絶縁される第１のフローティング回路と、第１のフローティング回路に光学的に結合された第２のフローティング回路であって、第２の沿面絶縁距離によって第１のフローティング回路から電気的に絶縁される第２のフローティング回路と、第２のフローティング回路に光学的に結合された三重絶縁回路であって、第３の沿面絶縁距離によって第２のフローティング接地回路から電気的に絶縁され、第１、第２、および第３の沿面絶縁距離の組合せに等しい総沿面絶縁距離によって接地回路から絶縁される三重絶縁回路と、を備える電気回路が提供される。
【００１４】
[00016]一部の実施形態において、総沿面絶縁距離は、第１の沿面絶縁距離の少なくとも３倍の大きさである。
[00017]一実施形態において、回路は、信号入力を接地回路から第１のフローティング回路に光学的に結合するように構成された第１の光遮断器をさらに備える。別の実施形態において、回路は、信号入力を第１のフローティング回路から第２のフローティング回路に光学的に結合するように構成された第２の光遮断器をさらに備える。追加の一実施形態において、回路は、信号入力を第２のフローティング回路から三重絶縁回路に光学的に結合するように構成された第３の光遮断器をさらに備える。
【００１５】
[00018]一部の実施形態において、第１の光遮断器は、接地回路上に配設されたダイオードと第１のフローティング回路上に配設されたトランジスタとを備える。別の実施形態において、第２の光遮断器は、第１のフローティング回路上に配設されたダイオードと第２のフローティング回路上に配設されたトランジスタとを備える。追加の一実施形態において、第３の光遮断器は、第２のフローティング回路上に配設されたダイオードと三重絶縁回路上に配設されたトランジスタとを備える。
【００１６】
[00019]電気回路における沿面絶縁距離を増加させる方法であって、接地回路をフローティング回路に光学的に結合して、第１の沿面絶縁距離によってフローティング回路を接地回路から電気的に絶縁するステップと、絶縁回路をフローティング回路に光学的に結合して、第２の沿面絶縁距離によって絶縁回路をフローティング回路から電気的に絶縁し、第１および第２の沿面絶縁距離の組合せに等しい総沿面絶縁距離によって絶縁回路を接地回路から電気的に絶縁するステップとを含む方法も提供される。
【００１７】
[00020]方法の一部の実施形態において、光学的に結合するステップは、光遮断器に光学的に結合するステップを含む。別の実施形態において、総沿面絶縁距離は、約１４ｍｍである。
【００１８】
[00021]本発明の新規特徴を以下の特許請求の範囲に詳細に記載する。本発明の特徴および利点のより良い理解は、本発明の原理が利用される例示的な諸実施形態を記載する以下の詳細な説明および添付の諸図面を参照することによって得られる。
【図面の簡単な説明】
【００１９】
【図１】[00022]接地回路と単一の絶縁回路とを有する電気回路を示す図である。
【図２】[00023]接地回路と、フローティング回路と、二重絶縁回路とを有する電気回路を示す図である。
【図３】[00024]上記の図２における回路を含むプリント回路板のレイアウトの一実施形態の概略図である。
【図４】[00025]図３のプリント回路板を示す三次元図である。
【図５】[00026]単一の絶縁距離のｎ倍（例えば、従来の光遮断器の沿面距離の７ｍｍのｎ倍）の沿面絶縁距離を提供することができる一実施形態を示す図である。
【発明を実施するための形態】
【００２０】
[00027]本開示は、広範囲の沿面絶縁距離を得るための効果的で安価な方法およびシステムを説明し、例示する。このような方法およびシステムは、大きな沿面絶縁距離が法律または制定法によって必要とされる高電圧医療デバイス用途に特によく適している。
【００２１】
[00028]図２は、大きな（例えば、最大で１４ｍｍまでの）沿面絶縁距離を提供するように構成された電気回路２００の一実施形態の概略的電気回路図を示す。電気回路は、例えば、プリント回路板上に配設することができる。図２に示すように、回路２００は、接地回路２０２と、フローティング回路２０３と、二重絶縁回路２０４とを含むことができる。電力は、１対の絶縁されたＤＣ／ＤＣ変換器２０６ａおよび２０６ｂを介して接地回路２０２から二重絶縁回路２０４に伝送することができる。入力／出力信号は、光遮断器２０８ａおよび２０８ｂ（信号入力）ならびに光遮断器２１０ａおよび２１０ｂ（信号出力）を介して接地回路２０２から二重絶縁回路２０４に伝送することができる。
【００２２】
[00029]接地回路２０２は、フローティング回路２０３と光／電気通信することができ、フローティング回路２０３は、二重絶縁回路２０４と光／電気通信することができる。それらの回路を結合するのに使用される光遮断器は、光波を介して（例えば、発光ダイオード（ＬＥＤ）から）電気信号を光検出器（フォトトランジスタやフォトレジスタなど）に伝達するように構成された電子デバイスであり得る。光遮断器は、典型的には、入力部としてＬＥＤを有し、出力部において様々な構成部品（例えば、金属酸化膜半導体電界効果トランジスタ、ＩＧＢＴ、論理ゲート、トライアック、ダーリントンなど）を有する。
【００２３】
[00030]図２に示すように、光遮断器２０８ａは、信号入力を接地回路からフローティング回路に通信するためにフローティング回路２０３におけるトランジスタに光学的に結合された接地回路２０２におけるダイオードを備えることができる。同様に、光遮断器２１０ａは、信号出力をフローティング回路から接地回路に通信するために接地回路２０２におけるトランジスタに光学的に結合されたフローティング回路２０３におけるダイオードを備えることができる。同様の構成により、信号入力および出力をフローティング回路から二重絶縁回路に通信することができ、すなわち、光遮断器２０８ｂは、二重絶縁回路におけるトランジスタに光学的に結合されたフローティング回路におけるダイオードを備え、光遮断器２１０ｂは、フローティング回路におけるトランジスタに光学的に結合された二重絶縁回路におけるダイオードを備える。
【００２４】
[00031]一実施形態において、図２の電気回路は、接地回路２０２と、光遮断器２０８ａおよび２１０ａを介して接地回路に光学的に結合されたフローティング回路２０３であって、第１の沿面絶縁距離Ｄ１によって接地回路から電気的に絶縁されるフローティング回路と、光遮断器２０８ｂおよび２１０ｂを介してフローティング回路に光学的に結合された絶縁回路であって、第２の沿面絶縁距離によってフローティング回路から電気的に絶縁され、第１および第２の沿面絶縁距離の組合せに等しい総沿面絶縁距離によって接地回路から電気的に絶縁される絶縁回路と、を備える。
【００２５】
[00032]図２の電気回路２００は、信号入力を接地回路からフローティング回路に光学的に結合し、信号入力をフローティング回路から絶縁回路に光学的に結合するように構成することができる。同様に、図２の電気回路は、信号入力を絶縁回路からフローティング回路に光学的に結合し、信号入力をフローティング回路から接地回路に光学的に結合するように構成することができる。
【００２６】
[00033]フローティング回路は、フローティング回路と、接地回路または絶縁回路のいずれかとの間に物理的な接点がないので、接地回路および絶縁回路から絶縁される。その代わりに、フローティング回路は、接地回路と絶縁回路の両方に光学的に結合される。フローティング回路における抵抗の値は、オームの法則を使用して計算され、ＬＥＤの順方向電流、ＬＥＤの電圧降下、およびＶＣＣ電圧による。一部の実施形態において、論理出力を有する超高速光遮断器を使用して、遅延を１０ｎｓ未満に維持することができる。
【００２７】
[00034]図２において、接地回路２０２と二重絶縁回路２０４との間にフローティング回路２０３を追加することにより、システム２００は、単一の従来の光遮断器を用いて得られる沿面絶縁距離を実質的に２倍にすることが可能になる。図２において、沿面絶縁距離は、効果的にＤ１＋Ｄ２、すなわち２ｘＤになる。従来の光遮断器は、沿面絶縁を約７ｍｍにすることができるので、図２のシステムは、最大で約１４ｍｍまでの沿面絶縁を提供することができる。光遮断器がおよそ７ｍｍ超の沿面絶縁を提供することができる場合、本明細書に説明する回路システムは、単一の光遮断器を用いて得られる沿面絶縁距離の２倍をまだ提供できることを理解されたい。
【００２８】
[00035]図３は、上記の図２における回路を含むプリント回路板のレイアウトの一実施形態の概略図である。図３において、プリント回路板３０１は、接地回路３０２と、フローティング回路３０３と、二重絶縁回路３０４とを含むことができる。接地回路３０２は、光遮断器３０８を介してフローティング回路３０３から電気的に絶縁することができる。同様に、二重絶縁回路３０４は、光遮断器３１０を介してフローティング回路３０３から電気的に絶縁することができる。図面に示すように、本実施形態は、７．２４ｍｍ＋７．４３ｍｍの沿面絶縁距離を提供して、合計約１４．７３ｍｍの絶縁が得られる。
【００２９】
[00036]図４は、図３のプリント回路板の三次元図を示す。プリント回路板４０１は、接地回路４０２と、フローティング回路４０３と、二重絶縁回路４０４と、光遮断器４０８および４１０とを含む、図３のＰＣＢレイアウトの同じ特徴のすべてを含む。またＰＣＢ４０１は、接地回路４０２からフローティング回路４０３を通って二重絶縁回路４０４への、およびその逆の、入力／出力信号経路を示す。ＰＣＢレイアウト工程の間、沿面要件がＰＣＢ全体にわたって満たされることが重要である。図３および図４に示す回路は、ＰＣＢ全体にわたって最小でおよそ１４ｍｍの沿面距離を有するという要件を満たす。
【００３０】
[00037]上記の諸実施形態は、複数のフローティング回路を使用することによってもっとより大きな沿面絶縁距離を提供するステップにさらに適用することができる。図５は、単一の絶縁距離のｎ倍（例えば、従来の光遮断器の沿面距離の７ｍｍのｎ倍）の沿面絶縁距離を提供することができる一実施形態を示す。図５において、複数のフローティング回路が接地回路５０２と絶縁回路５０４との間に配設される。所望の沿面距離の量によって、使用されるフローティング回路の数が決まる。例えば、従来の光絶縁体を用いて約２１ｍｍの沿面距離を達成するために、合計２つのフローティング回路を接地回路と絶縁回路との間に使用することができる。入力／出力信号は、光絶縁体５０８ａ／５１０ａから５０８ｎ＋１／５１０ｎ＋１までを介して接地回路からフローティング回路を通って絶縁回路に光学的に伝送することができる。同様に、ｎ＋１のＤＣ／ＤＣ変換器は、電力を接地回路からフローティング回路を通って絶縁回路に伝達することできる。この構成により、単一の光絶縁体によって提供される絶縁の量のｎ倍の総沿面絶縁距離が提供される。例えば、７ｍｍの絶縁を提供することができる光遮断器とすると、２つのフローティング回路は、およそ２１ｍｍの絶縁を提供し、３つのフローティング回路は、およそ２８ｍｍの絶縁を提供するなどとなる。
【００３１】
[00038]図５を参照し、２つのフローティング回路（および従来の光遮断器を用いて合計およそ２１ｍｍの絶縁）を有する電気回路を説明することができる。本実施形態において、図５の電気回路は、接地回路５０２と、光遮断器５０８ａおよび５１０ａを介して接地回路に光学的に結合された第１のフローティング回路５０３ａであって、第１の沿面絶縁距離Ｄ１によって接地回路から電気的に絶縁される第１のフローティング回路５０３ａと、光遮断器５０８ｂおよび５１０ｂを介して第１のフローティング回路に光学的に結合された第２のフローティング回路２０３ｎ＋１であって、第１の沿面絶縁距離Ｄ１および第２の沿面絶縁距離Ｄ２によって接地回路から電気的に絶縁される第２のフローティング回路２０３ｎ＋１とを備え、電気回路は、光遮断器５０８ｎ＋１および５１０ｎ＋１を介して第２のフローティング回路に光学的に結合された絶縁回路であって、第３の沿面絶縁距離によってフローティング回路から電気的に絶縁され、第１、第２、および第３の沿面絶縁距離の組合せに等しい総沿面絶縁距離によって接地回路から電気的に絶縁される絶縁回路をさらに備える。
【００３２】
[00039]この例において、回路は、信号入力を接地回路から第１のフローティング回路に光学的に結合して、信号入力を第１のフローティング回路から第２のフローティング回路に光学的に結合し、信号入力を第２のフローティング回路から絶縁回路に光学的に結合するように構成することができる。同様に、図５の電気回路は、信号入力を絶縁回路から第２のフローティング回路に光学的に結合して、信号入力を第２のフローティング回路から第１のフローティング回路に光学的に結合し、信号入力を第１のフローティング回路から接地回路に光学的に結合するように構成することができる。
【００３３】
[00040]本発明に関連するさらなる詳細に関しては、材料および製造技法を当業者のレベル内として採用することができる。通常または論理的に採用される追加の動作の点において本発明の方法に基づく諸態様に関しても同じことが言い得る。また、説明した発明的変形のいずれの任意選択の特徴も記載することができ、独立して、または本明細書に説明する任意の１つまたは複数の特徴に組み合わせて特許請求できることが企図されている。同様に、単数の品目への参照は、提示する複数の同じ品目がある可能性を含む。より具体的には、本明細書では、および添付の特許請求の範囲では、単数形「１つの」、「および」、「前記の」、および「その」は、文脈が明確に他の指示をしていない限り、複数の指示対象を含む。特許請求の範囲は、いずれの任意選択の要素も除外するように作成することができることにさらに留意されたい。したがって、この陳述は、特許請求の範囲の要素の記述に関連して「だけ」、「のみ」などの排他的用語の使用または「否定的」制限の使用に対して先行基礎として働くことを意図している。本明細書において他の定めがない限り、本明細に使用されるすべての技術的および科学的用語は、本発明が属する当分野の当業者によって通常理解される意味と同じ意味をもつ。本発明の広さは、本明細書によって限定されず、採用された特許請求の範囲の用語の平易な意味によってのみ限定されるものとする。
【図１】
2015524995.tif 000003
【図２】
2015524995.tif 000004
【図３】
2015524995.tif 000005
【図４】
2015524995.tif 000006
【図５】
2015524995.tif 000007
【国際調査報告】
2015524995.tif 000008